(57)【要約】【課題】簡単な構成で、かつ配線が不要であり、優れた利便性を発揮することのできる書き込み具、この書き込み具を使用して所望の画像を表示することができる簡単な構成の表示シート、これら書き込み具および表示シートを備え、簡単な構成で、優れた利便性を発揮することのできる電子機器を提供すること。【解決手段】書き込み具８は、筐体８１と、筐体８１に収容された電源８２と、筐体８１に設けられ、電源８２の一方の極と電気的に接続された電極部８３と、筐体８１に設けられ、表示面に直接または間接的に接触し得るとともに、電源８２の他方の極と電気的に接続された導電性を有する導電部８４とを有している。【選択図】図４
2011048333.tif 000002
【特許請求の範囲】
【請求項１】
電気泳動粒子を収容する収容部を有する表示層に画像を表示させるための書き込み具であって、
筐体と、
前記筐体に設けられた電源と、
前記筐体に設けられ、前記電源と電気的に接続された電極部と、
前記筐体に設けられ、前記電源と電気的に接続された導電部とを有し、
前記画像の表示は、前記電極部を前記表示層に電気的に接続させ、前記導電部を前記表示層に電気的に接続させることで行われることを特徴とする書き込み具。
【請求項２】
前記筐体は、ペン型をなしている請求項１に記載の書き込み具。
【請求項３】
前記電極部は、前記筐体の先端部に形成されている請求項１または２に記載の書き込み具。
【請求項４】
前記電極部は、前記電源の一方の極と電気的に接続され、
前記導電部は、前記電源の他方の極と電気的に接続されている請求項１ないし３のいずれかに記載の書き込み具。
【請求項５】
前記筐体は、該筐体を把持する把持部を有し、
前記導電部は、使用者が前記把持部を把持した際に、前記使用者の指と接触するように、前記把持部に設けられている請求項１ないし４のいずれかに記載の書き込み具。
【請求項６】
前記導電部は、紐状をなしており、
前記導電部の少なくとも一部が前記表示層と接触し得る請求項１ないし４のいずれかに記載の書き込み具。
【請求項７】
筐体と、前記筐体に設けられた電源と、前記筐体に設けられ、前記電源と電気的に接続された電極部と、前記筐体に設けられ、前記電源と電気的に接続された導電部とを有する書き込み具により画像が表示される表示シートであって、
電気泳動粒子を収容する収容部を有し、第１面と該第１面と対向する第２面とを有する表示層と、
前記表示層の前記第１面に設けられた電極層と、を有し、
前記電極層は、前記表示層の平面視にて、前記表示層から露出した露出部を有していることを特徴とする表示シート。
【請求項８】
前記表示層は、該表示層の平面視にて、複数の角部を有しているとともに、前記複数の角部のうちの少なくとも１つの角部が欠損しており、
前記露出部は、前記表示層の平面視にて、前記欠損した部分から突出するように設けられている請求項７に記載の表示シート。
【請求項９】
電極層と、前記電極層上に電気泳動粒子を収容する収容部を有する表示層とを有する表示シートと、
筐体と、前記筐体に設けられた電源と、前記筐体に設けられ、前記電源と電気的に接続された電極部と、前記筐体に設けられ、前記電源と電気的に接続された導電部とを有する書き込み具と、を有し、
前記表示層の画像の表示は、前記電極部を前記表示層に電気的に接続させ、前記導電部を前記表示層に電気的に接続させることで行われることを特徴とする電子機器。
【発明の詳細な説明】
【技術分野】
【０００１】
本発明は、書き込み具、表示シートおよび電子機器に関する。
【背景技術】
【０００２】
例えば、電子ペーパーの表示部（画像表示部）を構成するものとして、粒子の電気泳動を利用した電気泳動表示シートが知られている。また、このような電気泳動表示シートに所望の画像を表示させるための入力具として、鉛筆やボールペン等の筆記具のように、使用者が握って使用するペン型の入力具が知られている（例えば、特許文献１参照）。
特許文献１に記載の情報入力装置は、電気泳動表示シート（電子ペーパー）を載置する本体部と、本体部に載置された電子ペーパーを上から押さえ込む押さえ部と、ペン型位置指示器（入力具）とを有している。また、この情報入力装置では、本体部に、電子ペーパーと接触するように設けられたマトリクス電極部（複数のドット電極）が形成されているとともに、押さえ部には、透明電極が形成されている。
【０００３】
そして、特許文献１の情報入力装置では、電子ペーパーを挟み込んだ状態（すなわち、電子ペーパーを介して透明電極とマトリクス電極とが対向した状態）にて、操作者がペン型位置指示器を持ち、押さえ部材上で所望の軌跡を描くと、ペン型位置指示器から送信される所定の信号に基づいて、本体部に内蔵された制御部が、前記軌跡（すなわち、ペン型位置指示器の座標）を検出し、マトリクス電極部（複数のドット電極）の中から、前記軌跡に対応するドット電極を選択し、選択したドット電極と透明電極との間に電圧を印加する。これにより、電子ペーパーの表示面のうち、前記軌跡に対応する部分の表示色が変化し、前記軌跡に対応した画像が、電子ペーパーの表示面に表示される。
【０００４】
このような情報入力装置は、ペン型位置指示器が本体部に導線等で配線されていないため（すなわち、ワイヤレスであるため）、押さえ部上でペン型位置指示器を移動させる際に、導線等がペン型位置指示器や手に絡まることがなく、使い勝手がよい（優れた利便性を発揮することができる）構成となっている。
しかしながら、このような情報入力装置では、ワイヤレスとし、優れた利便性を得るがために、ペン型位置指示器内に所定の信号を送信するための回路（共振回路）を設け、かつ、ペン型位置指示器の座標を検出する制御部を本体部に内蔵しなければならず、その構成が複雑化するという問題がある。
【先行技術文献】
【特許文献】
【０００５】
【特許文献１】特開２００７−２０６８４６号公報
【発明の概要】
【発明が解決しようとする課題】
【０００６】
本発明の目的は、簡単な構成で、かつ配線が不要であり、優れた利便性を発揮することのできる書き込み具、この書き込み具を使用して所望の画像を表示することができる簡単な構成の表示シート、これら書き込み具および表示シートを備え、簡単な構成で、優れた利便性を発揮することのできる電子機器を提供することにある。
【課題を解決するための手段】
【０００７】
このような目的は、下記の本発明により達成される。
本発明の書き込み具は、電気泳動粒子を収容する収容部を有する表示層に画像を表示させるための書き込み具であって、
筐体と、
前記筐体に設けられた電源と、
前記筐体に設けられ、前記電源と電気的に接続された電極部と、
前記筐体に設けられ、前記電源と電気的に接続された導電部とを有し、
前記画像の表示は、前記電極部を前記表示層に電気的に接続させ、前記導電部を前記表示層に電気的に接続させることで行われることを特徴とする。
これにより、簡単な構成で、かつ表示シートとの配線が不要であり、優れた利便性を発揮することのできる書き込み具を提供することができる。
【０００８】
本発明の書き込み具では、前記筐体は、ペン型をなしていることが好ましい。
これにより、鉛筆、ボールペン等の筆記具と同様にして書き込み具を操作（使用）することができるため、書き込み具の操作性（使用者の使用感）が向上する。
本発明の書き込み具では、前記電極部は、前記筐体の先端部に形成されていることが好ましい。
これにより、より確実に、書き込み具の電極部を、表示シートの表示面に接触させることができる。
【０００９】
本発明の書き込み具では、前記電極部は、前記電源の一方の極と電気的に接続され、
前記導電部は、前記電源の他方の極と電気的に接続されていることが好ましい。
本発明の書き込み具では、前記筐体は、該筐体を把持する把持部を有し、
前記導電部は、使用者が前記把持部を把持した際に、前記使用者の指と接触するように、前記把持部に設けられていることが好ましい。
これにより、使用者の体（おもに手）を介して導電部を表示面に接触させることができる。すなわち、使用者の体を導体パスとして、導電部を間接的に、表示面と電気的に接続することができる。そのため、簡単かつ確実に、表示シートを駆動させることができる。
【００１０】
本発明の書き込み具では、前記導電部は、紐状をなしており、
前記導電部の少なくとも一部が前記表示層と接触し得ることが好ましい。
これにより、簡単な構成で、導電部を直接、表示面と電気的に接続することができる。また、導電部の先端が自由端であるため、書き込み具の操作中に、導電部が筐体に絡まることがなく、書き込み具を円滑に操作することができる。
【００１１】
本発明の表示シートは、筐体と、前記筐体に設けられた電源と、前記筐体に設けられ、前記電源と電気的に接続された電極部と、前記筐体に設けられ、前記電源と電気的に接続された導電部とを有する書き込み具により画像が表示される表示シートであって、
電気泳動粒子を収容する収容部を有し、第１面と該第１面と対向する第２面とを有する表示層と、
前記表示層の前記第１面に設けられた電極層と、を有し、
前記電極層は、前記表示層の平面視にて、前記表示層から露出した露出部を有していることを特徴とする。
これにより、簡単な構成で、書き込み具により所望の画像を表示することができ、かつ利便性に優れる表示シートが得られる。
【００１２】
本発明の表示シートでは、前記表示層は、該表示層の平面視にて、複数の角部を有しているとともに、前記複数の角部のうちの少なくとも１つの角部が欠損しており、
前記露出部は、前記表示層の平面視にて、前記欠損した部分から突出するように設けられていることが好ましい。
これにより、露出部を目立たなくすることができる。
【００１３】
本発明の電子機器は、電極層と、前記電極層上に電気泳動粒子を収容する収容部を有する表示層とを有する表示シートと、
筐体と、前記筐体に設けられた電源と、前記筐体に設けられ、前記電源と電気的に接続された電極部と、前記筐体に設けられ、前記電源と電気的に接続された導電部とを有する書き込み具と、を有し、
前記表示層の画像の表示は、前記電極部を前記表示層に電気的に接続させ、前記導電部を前記表示層に電気的に接続させることで行われることを特徴とする。
これにより、簡単な構成で、優れた利便性を発揮することのできる電子機器を提供することができる。
【図面の簡単な説明】
【００１４】
【図１】本発明の電子機器の第１実施形態を模式的に示す斜視図である。
【図２】図１に示す電子機器が備える表示シートの断面図である。
【図３】図２に示す表示シートが有する保護シートの変形例を示す断面図である。
【図４】図１に示す電子機器が備える書き込み具の部分断面斜視図である。
【図５】図４に示す書き込み具が有するスイッチの構成を示す図である。
【図６】表示シートに画像を書き込む状態を示す図である。
【図７】図６の部分拡大図である。
【図８】所望の画像が書き込まれた表示シートを示す図である。
【図９】表示シートに画像を書き込む状態を示す図である。
【図１０】表示シートに書き込まれた画像を消去するときの状態を示す図である。
【図１１】図１０の部分拡大図であるである。
【図１２】本発明の第２実施形態にかかる電子機器が有する書き込み具の図である。
【図１３】表示シートに画像を書き込む状態を示す図である。
【図１４】表示シートに書き込まれた画像を消去するときの状態を示す図である。
【図１５】本発明の第３実施形態にかかる電子機器が有する書き込み具の図である。
【図１６】本発明の第４実施形態にかかる電子機器を示す斜視図である。
【図１７】図１６に示す表示シートが有する電極層の平面図である。
【図１８】図１６に示す表示シートの断面図である。
【図１９】本発明の第５実施形態にかかる電子機器が有する表示シートの断面図である。
【発明を実施するための形態】
【００１５】
以下、書き込み具、表示シートおよび電子機器を添付図面に示す好適実施形態に基づいて詳細に説明する。
＜電子機器＞
≪第１実施形態≫
まず、本発明の書き込み具と本発明の表示シートとを適用した電子機器（本発明の電子機器）の第１実施形態について説明する。
【００１６】
図１は、本発明の電子機器の第１実施形態を模式的に示す斜視図、図２は、図１に示す電子機器が備える表示シートの断面図、図３は、図２に示す表示シートが有する保護シートの変形例を示す断面図、図４は、図１に示す電子機器が備える書き込み具の部分断面斜視図、図５は、図４に示す書き込み具が有するスイッチの構成を示す図、図６は、表示シートに画像を書き込む状態を示す図、図７は、図６の部分拡大図、図８は、所望の画像が書き込まれた表示シートを示す図、図９は、表示シートに画像を書き込む状態を示す図、図１０は、表示シートに書き込まれた画像を消去するときの状態を示す図、図１１は、図１０の部分拡大図である。なお、以下では、説明の都合上、図２の上側を「上」、下側を「下」として説明を行う。また、図６では、説明の便宜上、マイクロカプセル３１を誇張して大きく図示しており、マイクロカプセル３１の大きさ（使用者の手に対する大きさ）は実際とは大きく異なる。他の図についても同様である。
【００１７】
図１に示す電子機器１は、表示シート２（本発明の表示シート）と、書き込み具（本発明の書き込み具）８とを有している。このような電子機器１は、使用者が書き込み具８を把持し、書き込み具８を表示シート２上で移動させることにより、その移動の軌跡に対応した画像（文字、絵など）を表示シート２に書き込むことのできる装置である。このような電子機器１では、表示シート２をリライタブルペーパーとして用いることができるため、電子機器１の利便性が向上する。
【００１８】
以下、表示シート２および書き込み具８の構成について、順次詳細に説明する。
−表示シート２−
表示シート２は、電気泳動粒子の電気泳動を利用して画像の表示を行う電気泳動表示シートである。
図２に示すように、表示シート２は、表示層３と、表示層３の下面（第１面）に設けられた電極層４と、表示層３の上面に設けられた保護シート（保護フィルム）５とで構成されている。このような表示シート２では、保護シート５の上面が表示面５１を構成しており、表示面５１を介して表示層３を視認することにより、所定の画像を認識することができるようになっている。
【００１９】
図２に示すように、表示層３は、複数のマイクロカプセル（収容部）３１がバインダ３２で固定（保持）されることにより構成されている。また、複数のマイクロカプセル３１は、保護シート５と電極層４との間に、縦横に並列するように単層で（厚さ方向に重なることなく１個ずつ）配設されている。
マイクロカプセル３１は、球状のカプセル本体（殻体）３１１を有しており、その内部（内部空間）には、電気泳動分散液が充填されている。マイクロカプセル３１を球形とすることにより、マイクロカプセル３１の耐圧性および耐ブリード性を優れたものとすることができる。したがって、後述するように、書き込み具８による表示面５１の押圧によってマイクロカプセル３１にある程度の外力（押圧力）が加わっても、マイクロカプセル３１は、その外力を緩和・吸収することができ、マイクロカプセル３１の破壊を防止することができる。
【００２０】
マイクロカプセル３１の粒径（平均粒径）としては、特に限定されないが、解像度、隠蔽率などの観点から、１０μｍ以上２００μｍ以下程度であるのが好ましい。
カプセル本体３１１の構成材料としては、特に限定されず、例えば、ゼラチン、アラビアゴムとゼラチンとの複合材料、ウレタン系樹脂、メラミン系樹脂、尿素樹脂、エポキシ系樹脂、フェノール系樹脂、アクリル系樹脂、ウレタン系樹脂、オレフィン系樹脂、ポリアミド、ポリエーテルのような各種樹脂材料が挙げられ、これらのうち１種または２種以上を組み合わせて用いることができる。
【００２１】
カプセル本体３１１内に充填された電気泳動分散液は、正に帯電する正帯電粒子Ａと、負に帯電し、正帯電粒子Ａと色が異なる負帯電粒子Ｂとを液相分散媒６に分散（懸濁）してなるものである。正帯電粒子Ａおよび負帯電粒子Ｂの液相分散媒６への分散は、例えば、ペイントシェーカー法、ボールミル法、メディアミル法、超音波分散法、撹拌分散法等のうちの１種または２種以上を組み合わせて行うことができる。
【００２２】
液相分散媒６としては、例えば、ベンゼン系炭化水素などの芳香族炭化水素類、ｎ−ヘキサン、ｎ−デカンなどのパラフィン系炭化水素、アイソパー（Ｉｓｏｐａｒ、エクソン化学社製）などのイソパラフィン系炭化水素、１−オクテン、１−デセンなどのオレフィン系炭化水素、ナフテン系炭化水素などの脂肪族炭化水素類、ケロシン、石油エーテル、石油ベンジン、リグロイン、工業ガソリン、石油ナフサなどの石油や石油由来の炭化水素混合物、ジクロロメタン、クロロホルムなどのハロゲン化炭化水素類、ジメチルシリコーンオイル、メチルフェニルシリコーンオイルなどのシリコーンオイル類（有機シリコーンオイル類）、ハイドロフルオロエーテルなどのフッ素系溶剤（有機フッ素系溶剤）等が好ましく用いられる。また、これらの中でも、粘度の調整を容易に行うことができる点から、有機シリコーンオイル類がより好ましく用いられる。
【００２３】
正帯電粒子Ａは、白色をなし、正に帯電する電気泳動粒子である。また、負帯電粒子Ｂは、黒色をなし、負に帯電する電気泳動粒子である。このように、マイクロカプセル３１内に、白色と黒色の電気泳動粒子を収容することにより、表示シート２の白黒表示が可能となり、表示シート２の表示コントラストが向上する。
なお、本実施形態では、正帯電粒子Ａとして白色の粒子を用い、負帯電粒子Ｂとして黒色の粒子を用いているが、正帯電粒子Ａおよび負帯電粒子Ｂの色としては、互いに異なっていれば特に限定されず、それぞれ、例えば、赤色、青色、緑色などの有彩色や、金色、銀色等の金属光沢色から目的に合わせて適宜選択することができる。また、正帯電粒子Ａおよび負帯電粒子Ｂの色の組み合わせとしても、上記のものに限定されず、例えば、正帯電粒子Ａが黒色、負帯電粒子Ｂが白色である組み合わせや、正帯電粒子Ａが青色、負帯電粒子Ｂが赤色である組み合わせや、正帯電粒子Ａが金色、負帯電粒子Ｂが銀色である組み合わせであってもよい。
【００２４】
以上のような正帯電粒子Ａおよび負帯電粒子Ｂには、それぞれ、電荷を有するものであれば、いかなるものをも用いることができ、特に限定はされないが、顔料粒子、樹脂粒子またはこれらの複合粒子のうちの少なくとも１種が好適に使用される。これらの粒子は、製造が容易であるとともに、帯電量の制御を比較的容易に行うことができるという利点を有している。
【００２５】
顔料粒子を構成する顔料としては、例えば、アニリンブラック、カーボンブラック、チタンブラック等の黒色顔料、酸化チタン、酸化アンチモン等の白色顔料、モノアゾ等のアゾ系顔料、イソインドリノン、黄鉛等の黄色顔料、キナクリドンレッド、クロムバーミリオン等の赤色顔料、フタロシアニンブルー、インダスレンブルー等の青色顔料、フタロシアニングリーン等の緑色顔料等が挙げられ、これらのうち１種または２種以上を組み合わせて用いることができる。
このうち、顔料粒子としては、酸化チタン粒子が白色の粒子（正帯電粒子Ａ）として好適に用いられ、チタンブラック粒子が黒色の粒子（負帯電粒子Ｂ）として好適に用いられる。これらの粒子は、電界に対する応答性が高く、また、反射率の差が大きいことから、表示シート２の高コントラスト表示を可能にするものである。
【００２６】
また、樹脂粒子を構成する樹脂材料としては、例えば、アクリル系樹脂、ウレタン系樹脂、尿素系樹脂、エポキシ系樹脂、ポリスチレン、ポリエステル等が挙げられ、これらのうちの１種または２種以上を組み合わせて用いることができる。
また、複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。
顔料粒子の表面を他の顔料で被覆した粒子としては、例えば、酸化チタン粒子の表面を、酸化珪素や酸化アルミニウムで被覆したものを例示することができる。
【００２７】
また、正帯電粒子Ａおよび負帯電粒子Ｂの形状は、それぞれ、特に限定されないが、球形状であるのが好ましい。
正帯電粒子Ａおよび負帯電粒子Ｂは、それぞれ、液相分散媒６中での分散性を考慮した場合、より小さいものが好適に用いられ、具体的には、その平均粒径が、０．１μｍ以上１０μｍ以下程度であるのが好ましく、０．１μｍ以上７．５μｍ以下程度であるのがより好ましい。正帯電粒子Ａおよび負帯電粒子Ｂの平均粒径を前記範囲とすることにより、正帯電粒子Ａと負帯電粒子Ｂの凝集や、正帯電粒子Ａや負帯電粒子Ｂの沈降を防止することができ、正帯電粒子Ａおよび負帯電粒子Ｂを液相分散媒６中に分散させた状態を維持することができる。その結果、表示シート２の表示品質の劣化を好適に防止することができる。
【００２８】
なお、本実施形態のように、２種の異なる粒子（正帯電粒子Ａおよび負帯電粒子Ｂ）を用いる場合、２種の粒子の平均粒径を異ならせること、特に、白色の正帯電粒子Ａの平均粒径を黒色の負帯電粒子Ｂの平均粒径より大きく設定するのが好ましい。これより、表示シート２の表示コントラストをより向上させることや、保持特性を向上させることができる。
また、正帯電粒子Ａおよび負帯電粒子Ｂの比重は、それぞれ、液相分散媒６の比重とほぼ等しくなるように設定されているのが好ましい。これにより、正帯電粒子Ａおよび負帯電粒子Ｂは、後述する電界の作用を受けた後においても、液相分散媒６中において一定の位置に長時間滞留することができる。
【００２９】
バインダ３２は、例えば、電極層４および保護シート５を表示層３に接合する目的、電極層４と保護シート５との間に複数のマイクロカプセル３１を固定する目的等により供給される。これにより、表示シート２の耐久性および信頼性をより向上させることができる。
このバインダ３２には、電極層４、保護シート５およびカプセル本体３１１との親和性（密着性）に優れ、かつ、絶縁性に優れる樹脂材料が好適に使用される。このようなバインダ３２としては、例えば、ポリアクリロニトリル、ポリエチレン、ポリプロピレン、ポリエチレンテレフタレート、ポリカーボネート、ナイロン６６、ポリウレタン等のウレタン系樹脂、エポキシド、ポリイミド、ＡＢＳ樹脂、ポリ酢酸ビニル、ポリメタクリル酸メチル、ポリメタクリル酸エチル、ポリメタクリル酸ブチル、ポリメタクリル酸オクチル等のメタクリル酸エステル樹脂、塩化ビニル樹脂、セルロース系樹脂、シリコーン系樹脂、エチレン−酢酸ビニル共重合物等の各種樹脂材料が挙げられ、これらのうちの１種または２種以上を組み合わせて用いることができる。
【００３０】
このような構成の表示層３の下面（表示面５１と反対側の面）には、電極層４が設けられている。電極層４は、表示シート２の平面視にて、表示層３の全域を含むように設けられている。また、図１に示すように、電極層４は、表示シート２の平面視にて、表示層３から露出する露出部４１を有している。このような露出部４１は、後述するように、表示シート２の表示面５１に画像を書き込む際、または、表示された（書き込まれた）画像を消去する際に使用される部位である。
【００３１】
図１に示すように、露出部４１は、表示シート２の角部に位置している。より具体的には、表示シート２の平面視にて、表示層３および電極層４は、互いに、ほぼ同じ形状の長方形をなしていて、さらに、表示層３が有する４つの角部のうちの１つの角部が欠損している。この欠損している角部（部位）から、電極層４の角部を露出させることにより、露出部４１が形成される。このように露出部４１を形成することにより、露出部４１を簡単に形成することができるとともに、表示シート２の平面視形状を突出した部位のないシンプルな形状とすることができる。
なお、露出部４１の数については、特に限定されず、２以上の露出部４１を設けてもよい。また、露出部４１の配置についても、特に限定されず、表示シート２の角部に位置していなくてもよく、例えば、表示シート２の１つの辺から突出するように設けられていてもよい。
【００３２】
このような電極層４の構成材料としては、実質的に導電性を有するものであれば特に限定されず、例えば、銅、アルミニウムまたはこれらを含む合金等の金属材料、カーボンブラック等の炭素系材料、ポリアセチレン、ポリフルオレンまたはこれらの誘導体等の電子導電性高分子材料、ポリビニルアルコール、ポリカーボネート等のマトリックス樹脂中に、ＮａＣｌ、Ｃｕ（ＣＦ３ＳＯ３）２等のイオン性物質を分散させたイオン導電性高分子材料、インジウム酸化物（ＩＯ）等の導電性酸化物材料のような各種導電性材料が挙げられ、これらのうちの１種または２種以上を組み合わせて用いることができる。
【００３３】
一方、表示層３の上面には、保護シート５が設けられている。保護シート５は、絶縁性を有するシート状の部材で構成されている。このような保護シート５は、表示層３を保護する機能を有している。なお、保護シート５は、必要に応じて省略してもよい。
保護シート５は、表示面５１を構成するために光透過性を有するもの、すなわち、実質的に透明（無色透明、有色透明または半透明）とされる。これにより、表示面５１側から、表示層３の状態、すなわち表示シート２に表示された画像（情報）を目視により認識することができる。
【００３４】
このような保護シート５は、可撓性を有するもの、硬質なもののいずれであってもよいが、可撓性を有するものであるのが好ましい。可撓性を有する保護シート５を用いることにより、可撓性を有する表示シート２を得ることができる。これにより、表示シート２の利便性が向上する。
保護シート５を可撓性を有するものとする場合、その構成材料としては、それぞれ、例えば、ポリエチレン等のポリオレフィン、変性ポリオレフィン、ポリアミド、熱可塑性ポリイミド、ポリエーテル、ポリエーテルエーテルケトン、ポリウレタン系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００３５】
ここで、静電気による表示シート２の誤作動を防止するために、保護シート５に静電気除去機能を持たせてもよい。このような機能を持たせるために、保護シート５を例えば次のような構成とすることができる。すなわち、１つの構成として、保護シート５中にクロム（Ｃｒ）、モリブテン（Ｍｏ）等の金属微粒子を分散させた構成が挙げられる。また、他の構成として、図３に示すように、保護シート５中に、クロム（Ｃｒ）、モリブテン（Ｍｏ）等の金属材料で構成された配線５２が埋設された構成が挙げられる。このような構成の保護シート５を例えば接地状態とすることにより、保護シート５中の電荷成分を除去することができる。
【００３６】
上述した電極層４と保護シート５との間には、それらの縁部に沿うようにして封止部７が設けられている。この封止部７により、表示層３が気密的に封止されている。これにより、表示シート２内への水分の浸入を防止して、表示シート２の表示性能の劣化をより確実に防止することができる。
封止部７の構成材料としては、例えば、アクリル系樹脂、ウレタン系樹脂、オレフィン系樹脂のような熱可塑性樹脂、エポキシ系樹脂、メラミン系樹脂、フェノール系樹脂のような熱硬化性樹脂等の各種樹脂材料等が挙げられ、これらのうちの１種または２種以上を組み合わせて用いることができる。なお、封止部７は、必要に応じて設ければよく、省略することもできる。
【００３７】
−書き込み具８−
図４に示すように、書き込み具８は、筐体８１と、電源８２と、電極部８３と、導電部８４とを有している。このような書き込み具８は、前述したように、表示シート２に所望の画像を書き込むために使用するものである。
図４に示すように、筐体８１は、ペン型をなしており、例えば、絶縁性を有するプラスチック材料で構成されている。このように、筐体８１をペン型とすることにより、書き込み具８を、鉛筆、ボールペン等の筆記具と同様にして操作（使用）することができるため、書き込み具８の操作性（使い勝手）が向上する。
【００３８】
また、筐体８１は、筐体８１を把持するための把持部８１１を有している。この把持部８１１は、筐体８１の先端側（すなわち、鉛筆、ボールペン等の筆記具の握り部分に対応する部位）に設けられている。把持部８１１は、筐体８１と一体形成してもよいし、ゴム材料等で構成された弾性を有する管状部材を、筐体８１に被覆することにより形成してもよい。なお、把持部８１１を筐体８１と一体形成する場合には、形状の変化や、色の異なり等により、把持部８１１を識別することができるか否かは問わない。
【００３９】
筐体８１の先端部側（すなわちペン先）には、電極部８３が筐体８１から突出するように設けられている。この電極部８３は、電子機器１の使用時に、表示シート２の表示面５１に対して接触・摺動させる部分であり、このように、筐体８１から突出形成されていることにより、より確実に、電極部８３を表示面５１に対して接触・摺動させることができる。
また、図４に示すように、電極部８３の先端部（すなわち、実際に表示面５１と接触し得る部位）は、丸み付けされている。これにより、電極部８３が表示面５１に対して接触・摺動することによって、表示面５１が損傷（傷付き、破損）するのを抑制することができる。
【００４０】
電極部８３の面積（表示面５１との接触面積）としては、特に限定されず、目的に合わせて適宜設定することができる。電極部８３の面積が小さいほど、細い線を描くことができるため、表示シート２に細かい画像を書き込むことができる。
電極部８３の構成材料としては、実質的に導電性を有するものであれば特に限定されず、例えば、前述した表示シート２の電極層４と同様の材料が挙げられる。
【００４１】
筐体８１の把持部８１１には、導電性を有する導電部８４が設けられており、使用者が把持部８１１を握った際に、使用者の指が導電部８４に接触するようになっている。この導電部８４は、使用者の体（主に手）を介して表示シート２の表示面５１に接触させる部位である。このように、導電部８４を把持部８１１に設けることにより、使用者が書き込み具８を握った際に、確実に、使用者の体を導電部８４に接触させることができ、後述するような閉回路Ｃ１、Ｃ２を確実に形成することができる。
【００４２】
なお、導電部８４の構成としては、特に限定されず、例えば、本実施形態のように、環状をなし、把持部８１１の周囲を囲むように設けられているものであってもよし、筐体８１の軸方向に延在する複数の線状部材を有し、これら複数の線状部材が把持部８１１の周方向に沿って等間隔に複数配置されて構成されているものであってもよい。また、把持部８１１が導電性を有する材料で構成されている場合には、把持部８１１が導電部８４を兼ねていてもよい。
導電部８４の構成材料としては、実質的に導電性を有するものであれば特に限定されず、例えば、前述した表示シート２の電極層４と同様の材料が挙げられる。
【００４３】
図４に示すように、筐体８１の内部には、例えば電池等の電源８２が収容されている。この電源の一方の極には、電極部８３が電気的に接続されており、他方の極には、導電部８４が電気的に接続されている（なお、図４では、説明の便宜上、電源８２および電極部８３を接続する配線、電源８２および導電部８４を接続する配線の図示を省略している）。
【００４４】
電極部８３および導電部８４を、電源８２のいずれの極に接続するかは、次のようにして決定することができる。すなわち、黒色の背景に、白色の文字や絵を描きたい場合には、電源８２の陰極を電極部８３に接続するとともに、陽極を導電部８４に接続する。反対に、白色の背景に、黒色の文字や絵を描きたい場合には、電源８２の陽極を電極部８３に接続するとともに、陰極を導電部８４に接続する。
【００４５】
書き込み具８は、電源８２の陰極が電極部８３に接続されており、陽極が導電部８４に接続されている第１の状態と、電源８２の陽極が電極部８３に接続されており、陰極が導電部８４に接続されている第２の状態とを切り換えることのできるスイッチ８６を有している。このようなスイッチを有することにより、黒色および白色のいずれの色の文字等を書き込むのかを簡単に選択することができる。また、後述するように、書き込み具８を、表示シート２に書き込まれた画像を消去する消去具（すなわち、消しゴム）としても用いることができる。すなわち、前記スイッチを有することにより、書き込み具８の利便性がより向上する。
【００４６】
スイッチ８６の構成は、特に限定されないが、例えば図５に示すような構成を用いることができる。図５に示す構成のスイッチ８６は、２つのスイッチ素子８６１、８６２を有している。
スイッチ素子８６１は、電源８２の陰極と電気的に接続された端子８６１ａと、電源８２の陽極と電気的に接続された端子８６１ｂと、電極部８３と電気的に接続された端子８６１ｃと、端子８６１ｃに電気的に接続されたレバー８６１ｄを有している。レバー８６１ｄは、端子８６１ａ、８６１ｂのいずれか一方に接触する状態、いずれにも接触しない状態に移動することができる。
【００４７】
これと同様に、スイッチ素子８６２は、電源８２の陰極と電気的に接続された端子８６２ａと、電源８２の陽極と電気的に接続された端子８６２ｂと、導電部８４と電気的に接続された端子８６２ｃと、端子８６２ｃに電気的に接続されたレバー８６２ｄを有している。レバー８６２ｄは、端子８６２ａ、８６２ｂのいずれか一方に接触する状態、いずれにも接触しない状態に移動することができる。
【００４８】
このようなスイッチ８６では、レバー８６１ｄ、８６２ｄが連動して移動するようになっており、レバー８６１ｄが端子８６１ａに接触するとともに、レバー８６２ｄが端子８６２ｂに接触する状態（この状態が前記第１の状態となる）と、レバー８６１ｄが端子８６１ｂに接触するとともに、レバー８６２ｄが端子８６２ａに接触する状態（この状態が前記第２の状態となる）と、レバー８６１ｄが端子８６１ａ、８６１ｂのいずれにも接触せず、かつレバー８６２ｄが端子８６２ａ、８６２ｂのいずれにも接触しない状態とを選択することができる。このような選択（スイッチ８６の操作）は、例えば、筐体８１から突出して設けられたボタン８５によって行うことができる。
なお、レバー８６１ｄが端子８６１ａ、８６１ｂのいずれにも接触せず、かつレバー８６２ｄが端子８６２ａ、８６２ｂのいずれにも接触しない状態とすることで、電源８２と電極部８３（導電部８４）との導通をＯＦＦとすることができ、誤作動の防止等を図ることができる。
【００４９】
−電子機器１の使用方法−
次いで、図６ないし図１０に基づいて、電子機器１の使用方法について説明する。なお、以下では、白色の背景に、黒色の文字や絵を描く場合について代表して説明する。
まず、使用者は、スイッチ８６を第２の状態（電源８２の陰極が導電部８４に接続され、陽極が電極部８３に接続されている状態）とした書き込み具８を把持する。次いで、使用者は、表示面５１に所望の文字や絵を描くために、書き込み具８を把持する手を表示面５１上に置く。これにより、使用者の手を介して導電部８４が表示面５１に接触する。すなわち、使用者の手が導体パスとなり、導電部８４と表示面５１とが電気的に接続される。これとともに、使用者は、所望の文字等を書き込むために、書き込み具８の電極部８３を表示面５１に接触させる。このような状態となったとき、図６に示すような閉回路Ｃ１が形成される。
【００５０】
図７は、図６中の電極部８３付近の拡大断面図である。同図に示すように、閉回路Ｃ１が形成されると、電源８２により、電極部８３側が負電位、電極層４側が正電位となるような電圧が印加され、電極部８３側が負電位、電極層４側が正電位の電界が発生する。この電界が、電極部８３と電極層４の間にあるマイクロカプセル３１に作用すると、その中の正帯電粒子Ａは、負電位となっている電極層４側に向けて泳動し、一方の負帯電粒子Ｂは、正電位となっている電極部８３側に向けて泳動する。
【００５１】
このような正帯電粒子Ａ、負帯電粒子Ｂの泳動により、図７に示すように、電極部８３と電極層４の間にあるマイクロカプセル３１において、正帯電粒子Ａが電極層４側に偏在するとともに、負帯電粒子Ｂが電極部８３側に偏在することとなる。これにより、電極部８３と電極層４の間にあるマイクロカプセル３１が黒色表示状態となる。
このように、１つのマイクロカプセル３１ごとに正帯電粒子Ａおよび負帯電粒子Ｂの泳動を選択することによって、表示シート２の表示面５１に、正帯電粒子Ａおよび負帯電粒子Ｂによる反射光に基づいて、所望の情報（画像）を表示することができる。
【００５２】
例えば、表示面５１の全領域を白色表示状態としておき、電極層４および電極部８３間に電圧を印加しながら、表示面５１をなぞるようにして書き込み具８を移動させると、書き込み具８の軌道上に位置するマイクロカプセル３１が黒色表示状態に切り替わり、結果として、書き込み具８の軌道に対応した黒色の線が表示面５１に描かれることとなる。これにより、例えば、図８に示すような画像を描くことができる。なお、前述したように、表示シート２の各マイクロカプセル３１では、電界の作用を受けた後においても、正帯電粒子Ａおよび負帯電粒子Ｂの状態を長期間維持することができるため、上述のような画像の書き込みが可能となっている。
【００５３】
また、例えば、「Ｘ」、「Ｙ」等の２画以上の文字のように、表示面５１の異なる位置から書き始める線や点が２以上存在する場合には、所定の線の終点から、次の線の始点に書き込み具８を移動させている間は、スイッチ８６を操作することにより電源８２と電極部８３の導通を解除しておくことが好ましい。これにより、表示シート２への不本意な書き込みを効果的に防止することができる。
【００５４】
前述した書き込み方法では、書き込み具８を把持する手を表示面５１上に置いた場合について説明したが、書き込み方法は、これに限定されず、使用者の体の一部が表示面５１に触れていればよい。使用者の体の一部が表示面５１に触れていれば、その触れた部分を介して閉回路Ｃ１を形成することができるためである。そのため、例えば、使用者が書き込み具８を把持した手を表示面５１から浮かせた状態（非接触の状態）で表示シート２に所望の文字等を書き込む場合には、例えば、書き込み具８を把持している手と反対側の手を表示面５１に置いておけばよい。
【００５５】
また、図９に示すような書き込み方法であってもよい。すなわち、使用者は、書き込み具８を把持していない手（指の腹）Ｆを露出部４１に接触させた状態で、書き込み具８を把持した手を表示面５１から浮かせたまま（非接触のまま）、スイッチ８６が第２の状態となっている書き込み具８の電極部８３を表示面５１に接触させてもよい。このような方法によっても、使用者の人体をパスとして、閉回路Ｃ１を形成することができる。
【００５６】
このような方法では、図６に示す方法とは異なり、電極部８３の直下に位置するマイクロカプセル３１とは異なるマイクロカプセル３１中での正帯電粒子Ａおよび負帯電粒子Ｂの泳動を防止できるため、表示面５１への不本意な画像の書き込みや消去を確実に防止することができる。なお、図９では図示を省略しているが、書き込み具８を把持する手と、露出部４１をタッチする手（指の腹Ｆ）とは、使用者の体を介して電気的に接続されている。
【００５７】
以上、表示シート２への書き込み方法について説明したが、以下では、反対に、表示シート２に書き込まれた画像を消去する方法を説明する。
まず、スイッチ８６が第２の状態となっている書き込み具８を把持し、書き込み具８の電極部８３を表示シート２の露出部４１に接触させる。次いで、例えば、書き込み具８を把持していない方の手（指の腹）Ｆで、表示面５１に表示された文字等の消去したい部分をタッチする。このような状態となったとき、図１０に示すような閉回路Ｃ２が形成される。なお、図１０では図示を省略しているが、書き込み具８を把持する手と、表示面５１をタッチする手（指の腹Ｆ）とは、使用者の体を介して電気的に接続されている。
【００５８】
図１１は、図１０中の指の腹Ｆ付近の拡大断面図である。同図に示すように、閉回路Ｃ２が形成されると、電源８２により、指の腹Ｆが負電位、電極層４が正電位となるような電圧が印加され、指の腹Ｆが負電位、電極層４が正電位の電界が発生する。この電界が、指の腹Ｆと電極層４の間にあるマイクロカプセル３１に作用すると、その中の正帯電粒子Ａは、負電位となっている指の腹Ｆ側に向けて泳動し、一方の負帯電粒子Ｂは、正電位となっている電極層４側に向けて泳動する。
【００５９】
このような正帯電粒子Ａ、負帯電粒子Ｂの泳動により、図１１に示すように、指の腹Ｆと電極層４の間にあるマイクロカプセル３１において、正帯電粒子Ａが指の腹Ｆ側に偏在するとともに、負帯電粒子Ｂが電極層４側に偏在することとなる。これにより、電極部８３と電極層４の間にあるマイクロカプセル３１が白色表示状態となる。
このように、指の腹Ｆと電極層４の間にあるマイクロカプセル３１を、背景色である白色とすることにより、表示面５１に表示された文字等の全部または一部を消去することができる。特に、本実施形態では、電極層４が露出部４１を有しているため、より間に、書き込み具８の電極部８３と電極層４とを接触させることができ、表示面５１に表示された文字等の全部または一部を消去することができる。
【００６０】
ここで、画像を消去する場合に電極層４と電極部８３との間に印加する電圧の大きさを、画像を書き込む場合に電極層４と電極部８３との間に印加する電圧の大きさよりも大きくすることが好ましい。これにより、画像の消去（表示色の切り替え）を素早く行うことができる。特に、画像を消去する際は、指Ｆを素早く動かしがちであるため、このような構成とすることにより、画像の消し残りを効果的に防止することができる。
【００６１】
また、表示シート２に書きこまれた画像を消去する別の方法として、次のような方法が挙げられる。
例えば、スイッチ８６を前記第１の状態（電源８２の陰極が電極部８３に接続され、陽極が導電部８４に接続されている状態）とした書き込み具８を把持し、この状態で、図６または図９で示した書き込み方法と同様にして、書き込み具８（電極部８３）で表示面５１上の消去したい部分をなぞると、なぞられた部分に対応するマイクロカプセル３１に、電極部８３が負電位、電極層４が正電位の電界が作用する。すると、正帯電粒子Ａおよび負帯電粒子Ｂが泳動し、正帯電粒子Ａが電極部８３側に偏在するとともに、負帯電粒子Ｂが電極層４側に偏在する。これにより、書き込み具８（電極部８３）でなぞられた部分の画像を消去することができる。このような方法によれば、より狭い範囲の画像を消去することができる。
【００６２】
以上、電子機器１について詳細に説明した。このような電子機器１によれば、書き込み具８が表示シート２に配線されていないため、すなわち書き込み具８がワイヤレスであるため、円滑に（配線が邪魔にならずに）書き込み具８により表示面５１に所望の画像を書き込むことができ、優れた利便性を発揮することができる。また、電子機器１を構成する書き込み具８および表示シート２の装置構成を、それぞれ、前述したような簡単なものとすることができる。
【００６３】
ここで、表示シート２が有する保護シート５の厚さを適宜調整することによって、各マイクロカプセル３１の表示色の切り替えの反応性を調整することができる。すなわち、保護シート５を厚くすれば、電極部８３と電極層４との離間距離が大きくなるため、その間に発生する電界が弱くなり、その分、各マイクロカプセル３１の表示色切り替えの反応性を鈍感にすることができる。反対に、保護シート５の厚さを薄くすれば、電極部８３と電極層４との離間距離が短くなるため、その間に発生する電界が強くなり、その分、各マイクロカプセル３１の表示色の切り替えの反応性が敏感になる。これにより、目的に合った反応性を有する表示シート２を得ることができる。なお、保護シート５の厚さの調整は、例えば、保護シート５を複数枚重ねることによって行ってもよい。
【００６４】
≪第２実施形態≫
次に、本発明の書き込み具と本発明の表示シートを適用した電子機器（本発明の電子機器）の第２実施形態について説明する。
図１２は、本発明の第２実施形態にかかる電子機器が有する書き込み具の図、図１３は、表示シートに画像を書き込む状態を示す図、図１４は、表示シートに書き込まれた画像を消去するときの状態を示す図である。
【００６５】
以下、第２実施形態にかかる電子機器について説明するが、前述した実施形態との相違点を中心に説明し、同様の事項については、その説明を省略する。
本実施形態にかかる電子機器は、書き込み具８が備える導電部８４の構成が異なる以外は、前述した第１実施形態と同様の構成である。
図１２に示すように、導電部８４は、紐状をなしており、その先端が自由端となっている。導電部８４をこのような構成とすることにより、後述するように、使用者が書き込み具８を把持し、電極部８３を表示面５１上に位置させた時に、導電部８４が自重により垂れ下り、導電部８４を直接、表示面５１に接触させることができる。また、導電部８４の先端が自由端であるため、書き込み具８の操作中に、導電部８４が筐体８１に絡まることがなく、書き込み具８を円滑に操作することができる。
【００６６】
また、導電部８４は、筐体８１の後端部から延出している。このように、筐体８１の後端部から導電部８４を延出させることにより、導電部８４が、書き込み具８を持つ手に引っ掛かったり、絡まったりするのを抑制することができる。そのため、より確実に、導電部８４を前述したように表示面５１に接触させることができる。
【００６７】
導電部８４の長さとしては、特に限定されないが、筐体８１の長さ程度か、それよりも長いことが好ましい。より具体的には、筐体８１の長さをＬとしたとき、導電部８４の長さは、Ｌ以上、１．２Ｌ以下程度であることが好ましい。使用者が書き込み具８を把持し、電極部８３を表示面５１上に位置させた時、通常書き込み具８は鉛直方向に対して傾くため、導電部８４の長さの下限を上記の長さとすることにより、確実に、導電部８４を表示面５１に接触させることができる。また、導電部８４の長さの上限を上記の長さとすることにより、必要以上に、導電部８４が長くなることを防止することができる。
【００６８】
−電子機器１の使用方法−
次いで、図１３および図１４に基づいて、電子機器１の使用方法について説明する。なお、以下では、前述した第１実施形態と同様に、白色の背景に、黒色の文字や絵を描く場合について代表して説明する。
まず、使用者は、スイッチ８６が第２の状態となっている書き込み具８を把持する。次いで、使用者は、表示面５１に所望の文字や絵を描くために、書き込み具８を表示面５１上に位置させる。このとき、導電部８４が自重により垂れ下ることにより、導電部８４の先端部と表示面とが直接接触する。次いで、使用者は、所望の文字等を書き込むために、書き込み具８の電極部８３を表示面５１に接触させる。このような状態となったとき、図１３に示すような閉回路Ｃ３が形成される。このような閉回路Ｃ３が形成された状態にて、書き込み具８を移動させることにより、前述した第１実施形態と同様にして、書き込み具８の軌跡に対応する文字や絵を表示シート２に書き込むことができる。
【００６９】
表示シート２に書き込まれた文字等を消去する場合には、例えば、スイッチ８６が第２の状態となっている書き込み具８の筐体８１を導電部８４とともに把持し（すなわち、導電部８４が使用者の体に触れるようにして書き込み具８を把持し）、書き込み具８の電極部８３を表示シート２の露出部４１に接触させる。次いで、例えば、書き込み具８を把持していない方の手（指のはら）Ｆで、表示面５１に表示された文字等の消去したい部分をタッチする。このような状態となったとき、図１４に示すような閉回路Ｃ４が形成される（図１４では図示を省略しているが、書き込み具８を把持する手と、表示面５１をタッチする手（指の腹Ｆ）とは、使用者の体を介して電気的に接続されている）。このような閉回路Ｃ４が形成された状態にて、指の腹Ｆを移動させることにより、前述した第１実施形態と同様にして、指の腹Ｆに対応する部分の文字や絵を消去することができる。
このような第２実施形態によっても、前述した実施形態と同様の効果を発揮することができる。
【００７０】
≪第３実施形態≫
次に、本発明の書き込み具と本発明の表示シートを適用した電子機器（本発明の電子機器）の第３実施形態について説明する。
図１５は、本発明の第３実施形態にかかる電子機器が有する書き込み具の図である。
以下、第３実施形態にかかる電子機器について説明するが、前述した実施形態との相違点を中心に説明し、同様の事項については、その説明を省略する。
【００７１】
本実施形態にかかる電子機器は、書き込み具８が備える導電部８４の構成が異なる以外は、前述した第２実施形態と同様の構成である。
図１５に示すように、導電部８４は、紐状をなしている。また、導電部８４は、その先端に設けられた導電性を有する錘部材８４１を有している。このような錘部材８４１を有することにより、導電部８４が表示面５１に接触した状態をより確実に維持することができる。例えば、書き込み具８の操作に伴って、導電部８４が表示面５１上を移動する際、導電部８４が表示面５１と離間することを防止することができる。そのため、より確実に表示シート２に所望の画像を表示することができる。
【００７２】
なお、錘部材８４１の重さとしては、特に限定されないが、１０ｍｇ以上、１００ｍｇ以下程度であることが好ましい。錘部材８４１の重さをこのような重さとすることにより、導電部８４が表示面５１に接触した状態をより確実に維持することができる。また、錘部材８４１が表示面５１上に置かれた際に、その重さで表示層３中のマイクロカプセル３１が破壊されることを防止することができる。また、書き込み具８（筐体８１）を移動させたときに、それに伴って容易に錘部材８４１も移動させることができるため、書き込み具８を円滑に操作することができる。
このような第３実施形態によっても、前述した実施形態と同様の効果を発揮することができる。
【００７３】
≪第４実施形態≫
次に、本発明の書き込み具と本発明の表示シートを適用した電子機器（本発明の電子機器）の第４実施形態について説明する。
図１６は、本発明の第４実施形態にかかる電子機器を示す斜視図、図１７は、図１６に示す表示シートが有する電極層の平面図、図１８は、図１６に示す表示シートの断面図である。
【００７４】
以下、第４実施形態にかかる電子機器について説明するが、前述した実施形態との相違点を中心に説明し、同様の事項については、その説明を省略する。
本実施形態にかかる電子機器は、表示シートの構成が異なる以外は、前述した第１実施形態と同様の構成である。
本実施形態の電子機器１が備える表示シート２は、白黒表示に加えてカラー表示が可能となっている。以下、本実施形態の表示シート２について詳細に説明する。
【００７５】
図１６に示すように、電極層４は、２つの露出部４１ａ、４１ｂを有している。
また、図１７に示すように、電極層４は、基材４９と、基材４９の表示層３側の面に設けられた櫛歯電極４８とを有している。
基材４９は、絶縁性を有するシート状の部材で構成されている。このような保護シート５は、可撓性を有するもの、硬質なもののいずれであってもよいが、可撓性を有するものであるのが好ましい。可撓性を有する基材４９を用いることにより、可撓性を有する表示シート２を得ることができる。
【００７６】
基材４９を可撓性を有するものとする場合、その構成材料としては、それぞれ、例えば、ポリエチレン等のポリオレフィン、変性ポリオレフィン、ポリアミド、熱可塑性ポリイミド、ポリエーテル、ポリエーテルエーテルケトン、ポリウレタン系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００７７】
櫛歯電極４８は、基材４９の一方の面（表示層３側の面）上に設けられている。櫛歯電極４８は、互いに絶縁された一対の電極４６、４７で構成されている。この一対の電極４６、４７は、電極４６の電極指４６１と、電極４７の電極指４７１とが噛み合うように配置されている。
また、電極４６は、各電極指４６１と電気的に接続されたパッド４６２を有し、このパッド４６２の一部が露出部４１ｂから表示シート２の外部に露出している。同様に、電極４７は、各電極指４７１と電気的に接続されたパッド４７２を有し、このパッド４７２の一部が表示シート２の外部に露出している。
【００７８】
図１６および図１８に示すように、表示シート２は、表示層３と保護シート５との間に、着色層９を有している。着色層９は、有色透明な着色部９１と、実質的に無色透明な透明部９２を有している。着色部９１の色としては、特に限定されないが、赤色、青色、緑色等の有彩色であるのが好ましい。これにより、表示シート２のカラー表示が可能となる。なお、以下では、説明の便宜上、着色部９１が赤色を呈するものについて代表して説明する。
【００７９】
着色部９１および透明部９２は、それぞれ、帯状をなしており、これらが交互に配置されている。また、図１８に示すように、着色部９１は、電極４６の電極指４６１と対向するように設けられており、透明部９２は、電極４７の電極指４７１と対向するように設けられている。
このような着色層９としては、特に限定されないが、例えば、カラーフィルタを好適に用いることができる。
【００８０】
なお、本実施形態の表示シート２では、図１８の横方向において、１つの電極指４６１と着色部９１との間に、１つのマイクロカプセル３１が位置している構成となっているが、これに限定されず、複数のマイクロカプセル３１が位置していてもよい。１つの電極指４７１と透明部９２との間についても同様である。
このような構成の表示シート２を有する電子機器１は、次のようにして使用することができる。なお、以下では、以下では、黒色の背景（すなわち、全てのマイクロカプセル３１が黒色表示状態となっている場合）に、白色または赤色の文字や絵を描く場合について代表して説明する。
【００８１】
−白黒表示−
使用者は、書き込み具８を把持していない手（指の腹）Ｆを露出部４１ｂ（パッド４７２）に接触させた状態で、スイッチ８６を第１の状態（電源８２の陽極が導電部８４に接続され、陰極が電極部８３に接続されている状態）とした書き込み具８を把持する。そして、書き込み具８を把持した手を表示面５１から浮かせたまま、書き込み具８の電極部８３を表示面５１に接触させる。そして、表示面５１をなぞるようにして書き込み具８を移動させると、書き込み具８の軌道上に位置し、かつ電極４７（電極指４７１）上に位置するマイクロカプセル３１が白色表示状態に切り替わり、書き込み具８の軌道に対応した白色の線が表示面５１に描かれる。なお、この際、書き込み具８の軌道上に位置するマイクロカプセル３１のうち、電極４６上に位置するマイクロカプセル３１には電界が作用しないため、このマイクロカプセル３１の表示色は変化しない。
【００８２】
−赤色表示（カラー表示）−
使用者は、書き込み具８を把持していない手（指の腹）Ｆを露出部４１ａ（パッド４６２）に接触させた状態で、スイッチ８６を第１の状態とした書き込み具８を把持する。そして、書き込み具８を把持した手を表示面５１から浮かせたまま、書き込み具８の電極部８３を表示面５１に接触させる。そして、表示面５１をなぞるようにして書き込み具８を移動させると、書き込み具８の軌道上に位置し、かつ電極４６（電極指４６１）上に位置するマイクロカプセル３１が白色表示状態に切り替わる。白色表示状態に切り替わったマイクロカプセル３１で反射された光が着色部９１を透過することにより、書き込み具８の軌道に対応した赤色の線が表示面５１に描かれる。なお、この際、書き込み具８の軌道上に位置するマイクロカプセル３１のうち、電極４７上に位置するマイクロカプセル３１には電界が作用しないため、このマイクロカプセル３１の表示色は変化しない。
このように、本実施形態の電子機器１によれば、表示シート２に、カラー画像を書き込むことができる。なお、前述したように、白色の線で画像や文字を書き込んだ後に、赤色の線で画像や文字を書き足しても、先に書き込んだ黒色の線が消えることはないため、優れた利便性を発揮することができる。
【００８３】
なお、本実施形態では、着色層９が透明部９２を有している構成であるが、透明部９２に変えて、着色部９１と異なる色に着色された着色部を設けてもよい。また、本実施形態では、着色層９が着色部９１と透明部９２とを有する構成であるが、さらに他の色に着色された着色部を有していてもよい。なお、例えば、着色層９が、第１の着色部、第２の着色部および透明部の３つの領域を有している場合には、この領域に対応させて、電極層４が３つの電極を有する構成とすればよい。
また、着色層９の強度等によっては、保護シート５を省略してもよい。
【００８４】
≪第５実施形態≫
次に、本発明の書き込み具と本発明の表示シートを適用した電子機器（本発明の電子機器）の第５実施形態について説明する。
図１９は、本発明の第５実施形態にかかる電子機器が有する表示シートの断面図である。
【００８５】
以下、第５実施形態にかかる電子機器について説明するが、前述した実施形態との相違点を中心に説明し、同様の事項については、その説明を省略する。
本実施形態にかかる電子機器は、表示シートの着色層が省略され、かつ表示層の構成が異なる以外は、前述した第４実施形態と同様の構成である。
本実施形態の電子機器１が備える表示シート２は、白黒表示に加えてカラー表示が可能となっている。以下、本実施形態の表示シート２について詳細に説明する。
【００８６】
図１９に示すように、表示層３は、前述の実施形態のようなマイクロカプセル型ではなく、隔壁によって複数の部屋が形成されたセル型をなしている。
具体的には、表示層３は、マトリックス状に配列する複数のセル（収容部）３６を有しており、各セル３６には、電気泳動分散液が充填されている。
このような表示層３は、複数の凹部（各セル３６の内部空間となる部分）を有する箱体３４と、箱体３４の各凹部の開口を覆うように設けられた蓋体３５とを有しており、箱体３４に形成された各凹部を電気泳動分散液で満たした後、蓋体３５で封止することにより形成することができる。
【００８７】
箱体３４および蓋体３５の構成材料としては、比較的絶縁性の高い材料を用いることができ、例えば、ポリエチレン等のポリオレフィン、変性ポリオレフィン、ポリアミド、熱可塑性ポリイミド、ポリエーテル、ポリエーテルエーテルケトン、ポリウレタン系、塩素化ポリエチレン系等の各種熱可塑性エラストマー等、またはこれらを主とする共重合体、ブレンド体、ポリマーなどが挙げられる。
【００８８】
このように表示層３に含まれる複数のセル３６のうち、電極層４の電極４７（電極指４７１）上に位置するセル３６ａに充填された電気泳動分散液には、白色の正帯電粒子Ａ’と黒色の負帯電粒子Ｂ’が含まれており、電極４６（電極指４６１）上に位置するセル３６ｂに充填された電気泳動分散液には、白色の正帯電粒子Ａ”と赤色の負帯電粒子Ｂ”が含まれている。
このような構成の表示シート２を有する電子機器１は、次のようにして使用することができる。なお、以下では、以下では、白色の背景（すなわち、全てのセル３６が白色表示状態となっている場合）に、黒色または赤色の文字や絵を描く場合について代表して説明する。
【００８９】
−白黒表示−
使用者は、書き込み具８を把持していない手（指の腹）Ｆを露出部４１ｂ（パッド４７２）に接触させた状態で、スイッチ８６を第２の状態（電源８２の陽極が電極部８３に接続され、陰極が導電部８４に接続されている状態）とした書き込み具８を把持する。そして、書き込み具８を把持した手を表示面５１から浮かせたまま、書き込み具８の電極部８３を表示面５１に接触させる。そして、表示面５１をなぞるようにして書き込み具８を移動させると、書き込み具８の軌道上に位置し、かつ電極４７（電極指４７１）上に位置するセル３６ａが黒色表示状態に切り替わり、書き込み具８の軌道に対応した黒色の線が表示面５１に描かれる。なお、この際、書き込み具８の軌道上に位置するセル３６のうち、電極４６上に位置するセル３６ｂには電界が作用しないため、このセル３６ｂの表示色は変化しない。
【００９０】
−赤色表示（カラー表示）−
使用者は、書き込み具８を把持していない手（指の腹）Ｆを露出部４１ａ（パッド４６２）に接触させた状態で、スイッチ８６を第２の状態とした書き込み具８を把持する。そして、書き込み具８を把持した手を表示面５１から浮かせたまま、書き込み具８の電極部８３を表示面５１に接触させる。そして、表示面５１をなぞるようにして書き込み具８を移動させると、書き込み具８の軌道上に位置し、かつ電極４６（電極指４６１）上に位置するセル３６ｂが赤色表示状態に切り替わり、書き込み具８の軌道に対応した赤色の線が表示面５１に描かれる。なお、この際、書き込み具８の軌道上に位置するセル３６のうち、電極４７上に位置するセル３６ａには電界が作用しないため、このセル３６ａの表示色は変化しない。
このように、本実施形態の電子機器１によれば、表示シート２に、カラー画像を書き込むことができる。なお、前述したように、白色の線で画像や文字を書き込んだ後に、赤色の線で画像や文字を書き足しても、先に書き込んだ黒色の線が消えることはないため、優れた利便性を発揮することができる。
【００９１】
なお、本実施形態では、白色の正帯電粒子Ａ’と黒色の負帯電粒子Ｂ’とが納められたセル３６ａと、白色の正帯電粒子Ａ”と赤色の負帯電粒子Ｂ”とが納められたセル３６ｂとを有しているが、正帯電粒子Ａ’、Ａ”および負帯電粒子Ｂ’、Ｂ”の色は、これに限定されない、例えば、正帯電粒子Ａ’と負帯電粒子Ｂ’の色の組み合わせが、（白色、青色）であってもよし、（青色、赤色）であってもよいし、（緑色、青色）であってもよい。正帯電粒子Ａ”と負帯電粒子Ｂ”の色の組み合わせも、同様である。
【００９２】
以上説明したような電子機器は、各種電子装置に組み込むことができる。電子機器を備える電子装置としては、例えば、電子ペーパー、電子ブック、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができる。
【００９３】
以上、図示の各実施形態に基づいて、本発明の書き込み具、表示シートおよび電子機器を説明したが、本発明は、これらに限定されるものでない。例えば、本発明の書き込み具、表示シートおよび電子機器では、各部の構成は、同様の機能を発揮する任意の構成のものに置換することができ、また、任意の構成を付加することもできる。また、各実施形態を適宜組み合わせることもできる。
【符号の説明】
【００９４】
１……電子機器  ２……表示シート  ３……表示層  ３１……マイクロカプセル  ３１１……カプセル本体  ３２……バインダ  ３４……箱体  ３５……蓋体  ３６、３６ａ、３６ｂ……セル  ４……電極層  ４１、４１ａ、４１ｂ……露出部  ４６、４７……電極  ４６１、４７１……電極指  ４６２、４７２……パッド  ４８……櫛歯電極  ４９……基材  ５……保護シート  ５１……表示面  ５２……配線  ６……液相分散媒  ７……封止部  ８……書き込み具  ８１……筐体  ８１１……把持部  ８２……電源  ８３……電極部  ８４……導電部  ８４１……錘部材  ８５……ボタン  ８６……スイッチ  ８６１、８６２……スイッチ素子  ８６１ａ、８６１ｂ、８６１ｃ、８６２ａ、８６２ｂ、８６２ｃ……端子  ８６１ｄ、８６２ｄ……レバー  ９……着色層  ９１……着色部  ９２……透明部  Ａ、Ａ’、Ａ”……正帯電粒子  Ｂ、Ｂ’、Ｂ”……負帯電粒子  Ｃ１〜Ｃ４……閉回路  Ｆ……指の腹
【図１】
2011048333.tif 000003
【図２】
2011048333.tif 000004
【図３】
2011048333.tif 000005
【図４】
2011048333.tif 000006
【図５】
2011048333.tif 000007
【図６】
2011048333.tif 000008
【図７】
2011048333.tif 000009
【図８】
2011048333.tif 000010
【図９】
2011048333.tif 000011
【図１０】
2011048333.tif 000012
【図１１】
2011048333.tif 000013
【図１２】
2011048333.tif 000014
【図１３】
2011048333.tif 000015
【図１４】
2011048333.tif 000016
【図１５】
2011048333.tif 000017
【図１６】
2011048333.tif 000018
【図１７】
2011048333.tif 000019
【図１８】
2011048333.tif 000020
【図１９】
2011048333.tif 000021